(57)【特許請求の範囲】
【請求項１】
複数個の非殺傷弾丸と、非殺傷弾丸と発射薬との間に介在する詰物であってかさ比重が０．１５〜０．３のフェルトよりなる層及び気密的な仕切手段とよりなるワッズと、発射薬と、雷管と、薬莢を備えてなる非殺傷装弾。
【請求項２】
ワッズを構成する気密的な仕切手段が、かさ比重が０．２〜０．６の発泡ポリエチレンシートよりなる請求項１に記載した非殺傷装弾。
【請求項３】
ワッズを構成するフェルトよりなる層が少なくとも二層に分かれているフェルトからなる請求項１に記載した非殺傷装弾。
【発明の詳細な説明】
【０００１】
【発明の属する技術分野】
本発明は、発射されても人体、生体等を殺傷することのない非殺傷弾丸、いわゆる「ゴム弾」を発射するための非殺傷装弾に関する。
【０００２】
【従来の技術】
暴徒鎮圧等のために非殺傷弾丸が用いられている。非殺傷弾丸は、暴徒に対する威嚇のために用いられる他、人里に現れた害獣等を追い払うためにも用いられる。非殺傷弾丸は、非殺傷装弾から発射される。非殺傷装弾は、ゴム弾等の非殺傷弾丸と、発射薬、雷管、薬莢、及び非殺傷弾丸と発射薬との間に介在してこれらを仕切るワッズからなる。非殺傷弾丸と発射薬とを仕切るワッズは、ポリエチレン樹脂成形体や、ポリプロピレン樹脂成形体、硬い厚紙成形体等からなっている。これらのワッズは、従来のショットカップを転用したものが多い。
【０００３】
ショットカップとは、それ自体が非殺傷弾丸と発射薬との間に介在してこれらを仕切るワッズであり、そのカップを有する形状からそのように呼ばれている。すなわち、ショットカップは、弾丸を収容するカップの部分と、カップの底部に相当し発射薬に対して弾丸を気密的に隔離する仕切部材とからなっている。また、ショットカップは、カップの部分と仕切部材との間に空隙構造体を有するものが多く用いられている。
【０００４】
【発明が解決しようとする課題】
従来の非殺傷装弾のワッズは、人体等に向けて発射すると、非殺傷弾丸と共に飛翔して相当の速度と質量をもって人体等に衝突することがあった。特に至近距離から発射された場合には、人体に当たると危険である。本発明は、発射されても飛翔して人体等に危害を与えることの少ない非殺傷ワッズを用いた非殺傷装弾を提供することを目的とする。
【０００５】
【課題を解決するための手段】
本発明者は、前記課題を解決するため、非殺傷ワッズ及び非殺傷装弾の構成について鋭意研究した結果、非殺傷ワッズとしてその材料の材質、比重、構造等を最適化することにより前記目的が達成されることを見出して本発明をなすに至った。
【０００６】すなわち、本発明の態様は以下の通りである。
（１）複数個の非殺傷弾丸と、非殺傷弾丸と発射薬との間に介在する詰物であってかさ比重が０．１５〜０．３のフェルトよりなる層及び気密的な仕切手段とよりなるワッズと、発射薬と、雷管と、薬莢を備えてなる非殺傷装弾。
【０００７】
（２）ワッズを構成する気密的な仕切手段が、かさ比重が０．２〜０．６の発泡ポリエチレンシートよりなる（１）に記載した非殺傷装弾。
（３）ワッズを構成するフェルトよりなる層が少なくとも二層に分かれているフェルトからなる（１）に記載した非殺傷装弾。
【０００８】
以下、本発明についてさらに詳細に説明する。本発明の非殺傷装弾に用いる非殺傷ワッズの一つの態様は、かさ比重が０．１５〜０．３のフェルトよりなる層と、気密的な仕切手段とよりなることを特徴とする非殺傷ワッズである。
【０００９】
このフェルトよりなる層としての通気材を非殺傷弾丸の側に、気密的な仕切手段を発射薬の側に用いることは好ましい態様である。フェルトよりなる通気材は、発射されて飛翔するときに抵抗が大きく、また、大量の向かい風を強制的に吸収して逆噴射力を持つに至ることにより高速で飛翔し難い。このような通気材として、かさ比重が０．１５〜０．３のフェルトが用いられる。フェルトは、人体等に衝突しても傷害を与えることが少ない。
【００１０】
これに比して、比重が１．０程度の均一な材料であるポリエチレン樹脂等を用いたものでは、かさ比重が０．４以下の空隙を有する構造体として成形したものであっても、後述するように質量の最大外形に対する比重を小さくするか、または飛翔するとき幾つかの部分に分離して飛翔するようにしない限り、しばしば大きな運動量をもつことがある。
【００１１】
気密的な仕切手段とは、例えば、発泡ポリエチレンシート、軽い厚紙、金属箔等である。気密的な仕切手段の比重は、金属箔でない限り０．１〜１．０であることが好ましく、０．２〜０．６であることが更に好ましい。また、気密的な仕切手段の比重が０．６を超える場合は、そのかさ容積が、非殺傷ワッズのかさ容積の２０％以下であることが好ましく、１５％以下であることが更に好ましく、１０％以下であることが更に好ましい。このために、比重が０．２〜０．６の発泡ポリエチレンシートは好ましく用いられる。発泡ポリエチレンシートは、人体等に衝突しても傷害を与えることが少ない。
【００１２】
本発明に用いる非殺傷ワッズの更に他の態様は、非殺傷弾丸と発射薬とを気密に仕切り、かさ比重が０．６以下の材料よりなることを特徴とする非殺傷ワッズである。
従来のショットカップには、ポリエチレン成形品等が用いられている。ポリエチレンやポリプロピレン等の樹脂の比重は０．９〜１．２の程度である。本発明に用いる非殺傷ワッズは、かさ比重が０．６以下の材料のみよりなっているので、発射されて飛翔しても大きな運動量を得ることが少ない。材料としては、発泡ポリエチレン、発泡ポリスチレン等の軽い材料が好ましく用いられる。このかさ比重は、０．０５〜０．５であることが更に好ましく、０．１〜０．４であることが更に好ましく、０．１５〜０．３であることが更に好ましい。
【００１３】
これらの材料を用いて非殺傷弾丸を収容するためのカップの形状に成形することは好ましい態様である。
ショットカップは、発射後に高速で飛翔すればする程、カップの中に大量の空気を吸い込んで高圧になり、逆噴射力を持つに至るので、高速で飛翔し難い構造のものとなる。
【００１４】
本発明に用いる非殺傷ワッズの更に他の態様は、非殺傷弾丸を収容するカップの部分を有し、質量を最大外径と最大長で表される円筒体積で除したかさ比重が０．２以下であることを特徴とする非殺傷ワッズである。
材料が、ポリエチレン樹脂、ポリプロピレン樹脂等の比重が１．０に近い材質のものであっても、カップの部分を有し、質量の最大外形に対する比、すなわち質量を最大外径と最大長で表される円筒体積で除した比重が０．２以下である場合は、非殺傷ワッズとなる。このように空隙構造を含めた比重は重要であり、０．０５〜０．１５であることは更に好ましく、０．０７〜０．１２であることが更に好ましい。
【００１５】
本発明に用いる非殺傷ワッズの他の態様は、少なくとも二つの部分からなり、該部分は個々に飛翔できるように分離されていることを特徴とする非殺傷ワッズである。
非殺傷ワッズは、少なくとも三つの部分に分離されていることが更に好ましく、少なくとも四つの部分に分離されていることが更に好ましい。分離された部分が個々に飛翔するとき、それぞれの質量は小さく、飛翔しても人体等に危害を与えることが少なくなるからである。発射方向に対して横断的に層状に分離されていることは製造が容易である。非殺傷弾丸と発射薬を気密的に仕切るものである限り、発射方向に対して縦断的に分離される部分があってもよい。
【００１６】
本発明に用いる非殺傷ワッズは、可燃性材料よりなることが好ましく、かつ／または、生分解性材料よりなることが好ましい。
フェルトや多くの不織布、発泡ポリエチレン等は可燃性材料である。生分解性材料としては、バイオポリエステル、ポリ−３−ヒドロキシブチレート、カードラン、プルラン、バクテリヤセルロース、ポリアミノ酸等の微生物の作る樹脂状物質、デンプン、キチンキトサン、海産多糖類、セルロース等の天然高分子の樹脂状物質、ポリ乳酸、ポリグリコール酸、ポリカプロラクトン、脂肪族ポリエステル、ポリウレタン、ポリアミド系樹脂、ポリビニルアルコール、ポリエーテル等の化学合成の樹脂状物質がある。
【００１７】
本発明に用いる非殺傷ワッズは、非殺傷弾丸が散弾のように複数個発射される場合に好ましく用いられる。例えば、狩猟用散弾銃を用いて発射を行う場合等には、非殺傷ワッズとして、全質量が１〜４ｇであることが実用的である。
この場合に、より好ましくは１．５〜３．５ｇである。本発明の非殺傷装弾は、前記非殺傷ワッズと非殺傷弾丸、発射薬、雷管、薬莢を備えてなる非殺傷装弾である。
非殺傷弾丸は、粉末状充填材と共に装填されてよい。
【００１８】
【発明の実施の形態】
以下、本発明を図面を用いて説明するが、本発明はこれらの具体例によって何ら技術的範囲が限定されるものではない。図１は、本発明の非殺傷装弾の例であり、左半部は外形を表し、右半部は正中断面を表すものである。通気材１と仕切手段２とが非殺傷ワッズをなすものである。
【００１９】
図１において、薬莢３はヘッド４を有している。薬莢３の長さは７０ｍｍであり、ヘッド４の長さは１６ｍｍである。非殺傷弾丸５がポリエチレン粉末からなるフィラー６と共に装填され、スタークリンプ７によって先端が閉じられている。非殺傷弾丸５は、直径８ｍｍのゴム弾であり、四個装填されている。ヘッド４の内部に発射薬８が装填され、ベースワッズ９と共に雷管１０が固定されている。発射薬８は、猟用発射薬（旭化成株式会社製）である。ベースワッズ９は、ワッズの一種ではあるが、本発明の非殺傷ワッズのように非殺傷弾丸５と発射約８との間に介在するものではない。
【００２０】
本発明の非殺傷装弾ではワッズとして、かさ比重０．２５のフェルトからなる通気材１と、発泡ポリエチレンシートからなる気密的な仕切手段２よりなるワッズが用いられている。通気材１と仕切手段２の直径は約１９ｍｍである。フェルトは、分離可能な３層に分かれており、各層の厚さは１０ｍｍである。仕切手段２であるポリエチレンシートは、かさ比重が０．４で厚さが２．２ｍｍである。この非殺傷装弾を用いて発射実験を行った。
【００２１】
薬量を１．１０ｇ、１．３３ｇ、１．５４ｇとして発射したところ、ゴム弾の初速度としてそれぞれ１５５ｍ／ｓ、２６０ｍ／ｓ、３２８ｍ／ｓが得られた。非殺傷ワッズをなす通気材１と仕切手段２は、数メートルしか飛翔せず、人体等に危害を及ぼすことのないことが確認された。特に通気材１であるフェルトは３層が分離して飛翔し、また気密的な仕切手段２である発泡ポリエチレンシートも独立に飛翔した結果、それぞれの分離した飛翔体は個々の質量も小さく、人体等に危害を及ぼすことのないことが確認された。
【００２２】
【発明の効果】
本発明は、発射されても人体等に危害を与えない非殺傷弾丸と発射薬を仕切るためのワッズを用いた非殺傷装弾を得たものである。
【図面の簡単な説明】
【図１】  図１は、本発明の非殺傷装弾の例であり、左半部は外形を表し、右半部は正中断面を表す。通気材１と仕切手段２とが非殺傷ワッズをなす。
【符号の説明】
１                              通気材
２                              仕切手段
３                              薬莢
４                              ヘッド
５                              非殺傷弾丸
６                              フィラー
７                              スタークリンプ
８                              発射薬
９                              ベースワッズ
１０                            雷管
【図１】
0003871548.tif 000002